(57)【要約】【課題】太陽電池が存在する領域と存在しない領域の境界の視認性を低減させた太陽電池付き時計を提供する。【解決手段】太陽電池付き時計は、文字板と、前記文字板の裏側の一部に配置される太陽電池と、を有し、平面視において、少なくとも前記太陽電池が配置されない領域を覆う遮蔽部材をさらに備え、前記遮蔽部材の色は、前記太陽電池の受光面の色よりも暗い。【選択図】図４
2019132864.tif 000002
【特許請求の範囲】
【請求項１】
文字板と、
前記文字板の裏側の一部に配置される太陽電池と、を有し、
平面視において、少なくとも前記太陽電池が配置されない領域を覆う遮蔽部材をさらに備え、
前記遮蔽部材の色は、前記太陽電池の受光面の色よりも暗い、
太陽電池付き時計。
【請求項２】
前記遮蔽部材の視感反射率は、前記太陽電池の受光面の視感反射率よりも値が小さい、
請求項１に記載の太陽電池付き時計。
【請求項３】
前記遮蔽部材は、太陽電池の下に設けられた支持枠である、
請求項１又は２に記載の太陽電池付き時計。
【発明の詳細な説明】
【技術分野】
【０００１】
本発明は太陽電池付き時計に関する。
【背景技術】
【０００２】
文字板の裏側に太陽電池を配置した太陽電池付き時計では、太陽電池が存在する領域と存在しない領域とで外観上の色彩が異なって見え、美観を損なう場合があった。
【０００３】
下記特許文献１には、少なくとも太陽電池が配置されない領域で不透明である遮蔽シートが、太陽電池の表側又は裏側に設けられた太陽電池付き時計が記載されている。
【先行技術文献】
【特許文献】
【０００４】
【特許文献１】特開２０１２−２１１８９５号公報
【発明の概要】
【発明が解決しようとする課題】
【０００５】
上記特許文献１に記載の太陽電池付き時計では、遮蔽シートを配置することによって、太陽電池の切り欠き部にもセルが存在しているかのように見せている。かかる技術により、太陽電池が存在する領域と存在しない領域との間の色の差は、相当程度解消される。しかしながら、太陽電池の色には個体差があり、太陽電池と遮蔽シートの色を厳密に合わせることは難しく、太陽電池が存在する領域と存在しない領域の境界が、なお視認されてしまう事態が懸念される。
【０００６】
そこで、本発明は、太陽電池が存在する領域と存在しない領域の境界の視認性を低減させた太陽電池付き時計の提供を目的とする。
【課題を解決するための手段】
【０００７】
上記課題を解決すべく本出願において開示される発明は種々の側面を有しており、それら側面の代表的なものの概要は以下の通りである。
【０００８】
（１）文字板と、前記文字板の裏側の一部に配置される太陽電池と、を有し、平面視において、少なくとも前記太陽電池が配置されない領域を覆う遮蔽部材をさらに備え、前記遮蔽部材の色は、前記太陽電池の受光面の色よりも暗い、太陽電池付き時計。
【０００９】
（２）（１）において、前記遮蔽部材の視感反射率は、前記太陽電池の受光面の視感反射率よりも値が小さい、太陽電池付き時計。
【００１０】
（３）（１）又は（２）において、前記遮蔽部材は、太陽電池の下に設けられた支持枠である、太陽電池付き時計。
【発明の効果】
【００１１】
上記本発明によれば、太陽電池が存在する領域と存在しない領域の境界の視認性を低減させた太陽電池付き時計が得られる。
【図面の簡単な説明】
【００１２】
【図１】本発明の実施形態に係る衛星電波腕時計を示す平面図である。
【図２】太陽電池を示す平面図である。
【図３】遮蔽部材を示す平面図である。
【図４】衛星電波腕時計の部分断面図である。
【図５】第１の変形例に係る衛星電波腕時計の部分断面図である。
【図６】第２の変形例に係る衛星電波腕時計の部分断面図である。
【図７】第３の変形例に係る衛星電波腕時計の部分断面図である。
【図８】第４の変形例に係る衛星電波腕時計の部分断面図である。
【図９】第５の変形例に係る衛星電波腕時計の部分断面図である。
【図１０】第６の変形例に係る衛星電波腕時計を示す平面図である。
【発明を実施するための形態】
【００１３】
以下、本発明の実施の形態について、図面を参照しながら説明する。
【００１４】
図１は、本発明の実施形態に係る衛星電波腕時計１を示す平面図である。同図には、衛星電波腕時計の外装（時計ケース）である胴１０、胴１０内に配置された文字板１４と時刻を示す指針である時針１５、分針１６、秒針１７が示されている。また、胴１０の３時側の側面にはユーザが種々の操作を行うための竜頭１３、ボタン１２が配置されている。胴１０の１２時側及び６時側の側面からは、バンドを固定するためのバンド固定部１１が伸びている。
【００１５】
なお、同図に示した衛星電波腕時計１のデザインは一例である。ここで示したもの以外にも、例えば、胴１０を丸型でなく角型にしてもよいし、竜頭１３やボタン１２の有無、数、配置は任意である。また、本実施形態では、指針を時針１５、分針１６、秒針１７の３本としているが、これに限定されず、秒針１７を省略しても、あるいは、曜日、タイムゾーンやサマータイムの有無、電波の受信状態や電池の残量、各種の表示を行う指針や、日付表示等を追加したりしてもよい。
【００１６】
なお、本明細書では、衛星電波腕時計という用語を、腕時計であって、かつ、ＧＰＳ衛星などの日付や時刻に関する情報を含む衛星信号を送信する衛星から当該衛星信号を受信し、それに含まれる日付や時刻に関する情報、すなわち基準情報に基づき、腕時計内部に保持している時刻の情報である内部時刻を修正する機能を有している腕時計を指すものとして用いる。但し、本発明は衛星電波腕時計に限らず、一般的な標準電波を受信して内部時刻を修正する電波腕時計にも適用してよいし、こうした時刻修正機能を備えない腕時計に適用してもよい。さらに、腕時計だけでなく、置き時計や掛け時計に適用してもよい。
【００１７】
なお、衛星電波腕時計１では、文字板１４を覆うようにガラス等の透明材料により形成された風防が胴１０に取り付けられている。また、風防の反対側においては裏蓋が胴１０に取り付けられている。本明細書では、以降、衛星電波腕時計１の風防が配置される方向（図１における紙面手前方向）を表側、裏蓋が配置される方向（図１における紙面奥方向）を裏側と呼ぶ。
【００１８】
文字板２の裏側には、太陽電池３０が配置され、表側から入光した光により発電がなされる。そのため、文字板１４はある程度光線を透過する材質で形成される。詳細は後程説明するが、図２に示されるように太陽電池３０は概略円形をなし、１０時方向から２時方向が扇状に切り欠かれている。そして、文字板１４の裏側において、この切り欠かれた部分（太陽電池３０が存在しない領域）に衛星信号を受信するためのパッチアンテナ２０が配置されている。また、詳細は後程説明するが、図４に示すように、パッチアンテナ２０は、表側の面が衛星からの電波を受信する受信面２０ａとなっている。パッチアンテナ２０の受信面２０ａ、太陽電池３０の受光面、文字板１４は、互いに平行に設けられており、いずれも表側を向いている。
【００１９】
ところで、一般に長波帯を用いて地上局から送信される標準電波を用いて時刻修正を行う電波時計では、フェライトあるいはアモルファス合金等の磁芯にコイルを巻いた形式のいわゆるバーアンテナが用いられることが多い。これに対し、本実施形態に係る衛星電波腕時計１では、はるかに周波数の高いＵＨＦ帯を用いて衛星から送信される信号を受信する。そのため、ＵＨＦ帯の信号の受信に適した小型のアンテナとして、パッチアンテナ２０を用いている。そして、衛星信号は高周波であるので、太陽電池３０の電極がパッチアンテナ２０の表側に配置されると、著しくその受信感度が低下する。そこで、上記のように太陽電池３０の一部に切り欠き部を形成し、そこにパッチアンテナ２０を配置して、受信面２０ａの上方、すなわち表側に太陽電池３０の電極が配置されないようにしている。なお、パッチアンテナ２０に代えて、チップアンテナや逆Ｆアンテナを採用してもよい。
【００２０】
その他、衛星電波腕時計１の胴１０の内部には、指針を駆動するための機構（ムーブメント）、太陽電池３０で発電された電力を蓄積する蓄電池、衛星電波腕時計１の動作制御のためのコントローラ、受信した衛星信号を処理する受信回路などが収容されている。
【００２１】
なお、文字板１４は胴１０の表側の開口よりも広く、その周縁部を胴１０が覆っている。このため、文字板１４は、胴１０の開口の輪郭線（見切り線）Ｘよりも内側の領域（露出領域）のみが風防を介して外部から見えるようになっており、輪郭線Ｘよりも外側の領域（非露出領域）は胴１０により隠されて外部から見えない。
【００２２】
図２は、衛星電波腕時計１の胴１０の内部に収容される太陽電池３０を示す平面図である。図３は、衛星電波腕時計１の胴１０の内部に収容される遮蔽部材４０を示す平面図である。さらに、図４は、太陽電池３０及びパッチアンテナ２０が隣接する領域を中心に示す衛星電波腕時計１の部分断面図である。
【００２３】
図２に示すように、太陽電池３０は、１０時方向から２時方向を扇状に切り欠いた形状を有する基板３０ｂを備えている。図２に示す例では、切り欠き部３０ｃのなす角度は１２０°である。上述したように、切り欠き部３０ｃの内側領域（太陽電池３０が存在しない領域、非配置領域と呼ぶ。）には、受信面２０ａが風防側を向くようにしてパッチアンテナ２０が配置される。切り欠き部３０ｃのなす角度は、パッチアンテナ２０が収容できる角度であればどのようなものであっても構わない。但し、後述するように、文字板１４や文字板１４の上に配置される装飾部材に設けられる模様と、切り欠き部３０ｃの辺とが平面視において重なることが好ましい。なお、太陽電池３０が存在しない領域を非配置領域と呼ぶのに対して、太陽電池３０が存在する領域を配置領域と呼ぶ。
【００２４】
基板３０ｂの周縁には互いに離間した位置に複数の係合部（凹凸形状）が設けられており、これら係合部が胴１０自体或いは胴１０の内部に収容される図示しない枠体であるソーラーセル支持枠に係合している。これにより、基板３０ｂは衛星電波腕時計１内で回動不能に支持される。なお、これら係合部は上記輪郭線Ｘよりも外側に形成されており、文字板１４の表側からは透けて見えないようになっている。さらに、太陽電池３０の中央には指針軸を挿通するための開口が形成されており、表面には半導体薄膜及び電極を備えた発電単位であるセル３０ａが複数形成されている。
【００２５】
遮蔽部材４０は太陽電池３０の裏側に配置され、太陽電池３０の切り欠き部３０ｃを遮蔽するものである。遮蔽部材４０の色は、素材（例えば樹脂）自体の色であってよいし、の色の部材の表面を着色してもよい。この着色は、任意の不透明塗料による塗膜であってもよいし、太陽電池３０のセル３０ａを構成する層から電極として機能する導電層を除いた半導体層としてもよく、さらにその両者を積層するようにしてもよい。着色を塗膜とした場合には遮蔽部材４０の製造が安価かつ容易であるのに対し、着色を半導体層とした場合には、着色とセル３０ａの色や質感を合わせやすい利点がある。半導体層である着色に、微調整のためさらに塗膜を追加してもよい。なお、着色を半導体層とした場合に導電層を除く理由は、パッチアンテナ２０による衛星からの電波の受信に影響を与えないようにするためである。また、着色を半導体層とする場合には、セル３０ａの半導体層として用いられるＰＩＮ層（Ｐ層とＮ層の間に真正半導体層であるＩ層を介在させた形式のＰＩＮダイオードの層）を半導体層として用いてよいが、これに替え、Ｉ層、若しくはＰ層又はＮ層のいずれかのみを用いて半導体層としてもよい。遮蔽部材４０は、その色や質感のみセル３０ａと近似していればよく、太陽電池３０としての機能は必要ないからである。
【００２６】
遮蔽部材４０の色は、太陽電池３０の受光面の色と同一にすることが困難であるため、太陽電池３０の受光面の色よりも暗いことが望ましい。具体的には、遮蔽部材４０の色は、セル３０ａ又は基板３０ｂの色よりも暗いことが望ましい。遮蔽部材４０の色が太陽電池３０の受光面の色より暗い場合は、そうでない場合と比較して、文字板１４の表側から見て非配置領域にもセル３０ａ又は基板３０ｂが存在しているように見せやすい。ここで、色が暗いとは、例えば、色を表す方法としてマンセル表色系を採用する場合においては、色の明度が低いことを意味するものとしてよい。遮蔽部材４０と太陽電池３０との境界は外観上判別困難であることが望ましいため、遮蔽部材４０の色相及び彩度は、セル３０ａ又は基板３０ｂの色相及び彩度と近いことが望ましい。また、他の例として、色を表す方法としてＣＩＥｘｙＹ表色系を採用する場合には、色が暗いとは、視感反射率Ｙの値が小さいことを意味するものとしてよい。ＣＩＥｘｙＹ表色系を採用する場合、遮蔽部材４０が有するｘ及びｙの値は、セル３０ａ又は基板３０ｂが有するｘ及びｙの値に近いことが望ましい。
【００２７】
なお、遮蔽部材４０の着色は、遮蔽部材４０の表面のうち非配置領域に施せば十分である。しかし、遮蔽部材４０の全面に着色することにより、遮蔽部材４０及び太陽電池３０の位置を精密に合わせなくとも、パッチアンテナ２０が遮蔽されることになる。そのため、遮蔽部材４０の全面に着色する場合には、より簡単な組み立て工程で、配置領域と非配置領域との境界の視認性を低減させた太陽電池付き時計１が得られる。また、遮蔽部材４０の別の構成として、遮蔽部材４０を太陽電池３０の表側に配置して、透明部材で形成したシートのうち非配置領域を覆う領域のみを着色することも考えられる。この場合は、太陽電池３０に対して、遮蔽部材４０を精密に位置合わせする必要があるため、好ましくない。
【００２８】
遮蔽部材４０の周縁にも互いに離間した位置に複数の係合部（凹凸形状）が設けられており、これら係合部が胴１０自体或いは胴１０の内部に収容される図示しないソーラーセル支持枠に係合している。これにより遮蔽部材４０も衛星電波腕時計１内で回動不能に支持される。これら係合部も輪郭線Ｘより外側に形成されている。
【００２９】
本実施形態において、遮蔽部材４０は一枚のシートであるが、遮蔽部材４０はシート状でなくてもよい。例えば、胴１０の内部に収容される枠体であるソーラーセル支持枠の表面を塗膜面等として、ソーラーセル支持枠の上に太陽電池３０を配置することとしてもよい。その場合、ソーラーセル支持枠の裏面側或いは内部にパッチアンテナ２０が配置されることとなる。そのような場合であっても、ソーラーセル支持枠の表面の色を太陽電池３０の受光面の色よりも暗くすることによって、非配置領域にもセル３０ａ又は基板３０ｂが存在しているように見せることができる。
【００３０】
図４に示すように、文字板１４と太陽電池３０との間にはシート５０が配置される。シート５０の表面には艶消し層６０が設けられる。太陽電池３０の受光面に外光を当てるため、シート５０及び艶消し層６０は、ある程度光線を透過する材質で形成される。
【００３１】
艶消し層６０は、表側に凹凸面を有することにより、光を拡散する層である。ここで、シート５０が厚みを有することにより、艶消し層６０と太陽電池３０の受光面との間の距離が保たれる。そして、文字板１４側から入射し、太陽電池３０の受光面で反射して文字板１４側に戻る光、及び遮蔽部材４０の表面で反射して文字板１４側に戻る光が、艶消し層６０で一様に不規則に拡散されるようになる。そのため、文字板１４側から観察した場合に、配置領域と非配置領域との境界が不明瞭となり、いわゆるマッハ効果が抑制されるため、配置領域と非配置領域間の色の差異がほとんど視認されなくなる。
【００３２】
これに対し、仮に、艶消し層６０がシート５０の裏面に形成される等により、太陽電池３０を構成するセル３０ａの表面と艶消し層６０とが離間せずに接する場合は、艶消し層６０がセル３０ａと接触する領域と、艶消し層６０が遮蔽部材４０と離間する領域とで、艶消し層６０による光の散乱状態に差異が生じる。そのため、両領域において光の散乱状態が一様ではなくなり、配置領域と非配置領域間の色の差異が目立ってしまう。これは、艶消し層６０の裏面側に部材が接する領域では、艶消し層６０の裏面の凸部から空間を経ずにその部材に光が入射するのに対し、艶消し層６０の裏面に部材が接しない領域では、艶消し層６０の裏面全体から空間内に光が放射されるため、両者で光の経路に大きな差異が生じることによる。
【００３３】
艶消し層６０は、太陽電池３０の発電に必要な光量を透過する材質であれば、有色であってよい。艶消し層６０を有色透明とする場合、艶消し層６０の色は、セル３０ａ及び基板３０ｂの色よりも黒いことが望ましい。ここで、色が黒いとは、例えば、色を表す方法としてマンセル表色系を採用する場合においては、色の彩度が低いことを意味するものとしてよい。また、例えば、色を表す方法としてＣＩＥｘｙＹ表色系を採用する場合には、色が黒いとは、ｘ＝１／３、かつｙ＝１／３の点で表される色により近いことを意味するものとしてよい。ｘ＝１／３、かつｙ＝１／３の点は一般に無彩色であることを表す。
【００３４】
艶消し層６０が有色透明であれば、文字板１４側から観察した場合に、配置領域と非配置領域間の色の差異がより低下して視認される。すなわち、太陽電池３０の個体差により太陽電池３０と遮蔽部材４０との間に色や質感の差異が生じた場合にも、共通の艶消し層６０を通して見ることにより、両者の差異がより知覚されにくくなるのである。なお、艶消し層６０は、その表面に直接塗料を塗布しないことが望ましい。なぜなら、艶消し層６０の表面に塗料が塗布されると、艶消し層６０の表面に設けられた凹凸面の凹部が、塗料によって埋められて、塗料が有する屈折率などの光学特性に応じて凹凸面による光拡散効果が低下するからである。なお、艶消し層６０の表面側に塗料によって有色層を設ける場合は、艶消し層６０に直接塗料を塗布するのではなく、後述する第３の変形例のように、文字板１４側に塗料を塗布して有色層を形成することで、この問題が解消される。また、本実施例において、艶消し層６０を透明とし、シート５０を有色透明としても良い。
【００３５】
本実施形態のように、太陽電池３０の裏面側に遮蔽部材４０を配置することにより、これらの位置合わせを容易にした構成では、配置領域と非配置領域に高さの違いが生じる。そのような構成であっても、艶消し層６０をシート５０の表面に形成して、配置領域及び非配置領域から離間して配置することにより、これらの領域で光拡散効果が一様に発揮され、これらの領域の色の差異を目立たなくすることができる。
【００３６】
図５は、第１の変形例に係る衛星電波腕時計１のうち、太陽電池３０及びパッチアンテナ２０が隣接する領域を中心に示す部分断面図である。第１の変形例では、文字板１４の裏面に第１艶消し層６１が設けられ、シート５０の表面に第２艶消し層６２が設けられる。第１艶消し層６１の裏面と、第２艶消し層６２の表面とには、それぞれ凹凸面が設けられる。このように、艶消し層を２層とすることで、文字板１４側から入射し、太陽電池３０の受光面で反射する光がより強く拡散されることとなり、配置領域と非配置領域との境界の視認性がより低下する。第１の変形例において、第１艶消し層６１及び第２艶消し層６２のいずれか一方を有色透明としてもよいし、両方を有色透明としてもよい。また、第２艶消し層６２を設けず、第１艶消し層６１のみを設ける構成としてもよい。
【００３７】
図６は、第２の変形例に係る衛星電波腕時計１のうち、太陽電池３０及びパッチアンテナ２０が隣接する領域を中心に示す部分断面図である。第２の変形例における第１艶消し層６１は、第１有色層６１ａと第１艶消し層６１ｂとが、この順で文字板１４の裏面に積層されて形成されている。また、第２艶消し層６２は、第２有色層６２ａと第２艶消し層６２ｂとが、この順でシート５０の表面に積層されて形成されている。ここで、第１艶消し層６１ｂと第２艶消し層６２ｂは対向して設けられ、それぞれ凹凸面が対向するよう配置されている。すなわち、第１艶消し層６１ｂの裏面と、第２艶消し層６２ｂの表面とは、凹凸面である。第１有色層６１ａ及び第２有色層６２ａは有色透明の層であり、光線を透過する程度の厚み及び色を有する塗膜であってよい。また、第１艶消し層６１ｂ及び第２艶消し層６２ｂは、透明であってよい。第２の変形例の場合、第１有色層６１ａ及び第２有色層６２ａの厚み及び色を調整することで第１艶消し層６１及び第２艶消し層６２の透過率を調整することができる。そのため、第１艶消し層６１ｂ及び第２艶消し層６２ｂの厚みを精密に調整しなくとも、所望の透過率が得られるという利点がある。なお、第１艶消し層６１及び第２艶消し層６２は、いずれか一方が設けられていればよい。
【００３８】
仮に、第１艶消し層６１ｂや第１有色層６１ａを、第２艶消し層６２ｂの表面に直接形成すると、第２艶消し層６２ｂの表面に設けられた凹凸面の凹部が第１艶消し層６１ｂで埋められ、さらに、第１艶消し層６１ｂの表面に設けられた凹凸面の凹部が第１有色層６１ａで埋められることにより、これらの艶消し層の光拡散効果が低下することとなる。これに対し、図６に示したように、これらの層をシート５０の表面と文字板１４の裏面に形成して対向させることにより、それぞれの艶消し層の表面が凹凸を維持し、光拡散効果が低下しない。そして、文字板１４の裏面に第１艶消し層６１ｂを形成することにより、図１０に示すような、光沢面の凹凸模様を文字板１０の表面に形成することができる。
【００３９】
図７は、第３の変形例に係る衛星電波腕時計１のうち、太陽電池３０及びパッチアンテナ２０が隣接する領域を中心に示す部分断面図である。第３の変形例では、文字板１４の裏面に有色層６３が設けられ、シート５０の表面に透明艶消し層６４が設けられる。有色層６３は有色透明の層であり、光線を透過する程度の厚み及び色を有する塗膜であってよい。第３の変形例では、有色層６３の厚み及び色により、文字板１４側から入射する光の透過率を調整することができる。そのため、文字板１４側で視認される、太陽電池３０の受光面の色及び遮蔽部材４０の色の明度を有色層６３の厚み及び色により調整することができる。また、透明艶消し層６４により、文字板１４側から入射する光、及び太陽電池３０の受光面で反射して文字板１４側に戻る光を一様に不規則に拡散することができる。そのため、配置領域と非配置領域間との境界の視認性が低下する。なお、文字板１４の裏面に透明艶消し層６４を設け、シート５０の表面に有色層６３を設けることとしてもよいし、シート５０の表面に有色層６３を設け、有色層６３の表面に艶消し層６４を設けても良い。
【００４０】
図８は、第４の変形例に係る衛星電波腕時計１のうち、太陽電池３０及びパッチアンテナ２０が隣接する領域を中心に示す部分断面図である。第４の変形例では、有色シート５１の表面に艶消し面６５が設けられる。艶消し面６５は、有色シート５１の表面に直接微細な凹凸を形成した粗面によって構成される。有色シート５１が厚みを持つことにより、艶消し面６５は、太陽電池３０の受光面から離間して設けられる。艶消し面６５は凹凸面であり、文字板１４側から入射した光、及び太陽電池３０の受光面で反射して文字板１４側に戻る光を一様に不規則に拡散する。そのため、配置領域と非配置領域との境界の視認性が低下する。有色シート５１は、有色透明な材質で形成されるシートであり、その透過率は文字板１４よりも低い。第４の変形例では、有色シート５１の厚み及び色により、文字板１４側から入射する光の透過率を調整することができる。そのため、文字板１４側で視認される、太陽電池３０の受光面の色及び遮蔽部材４０の色の明度を有色シート５１の厚み及び色により調整することができる。なお、艶消し面６５を、図４等に示した艶消し層で構成しても良い。
【００４１】
図９は、第５の変形例に係る衛星電波腕時計１のうち、太陽電池３０及びパッチアンテナ２０が隣接する領域を中心に示す部分断面図である。第５の変形例における文字板１４の厚みはｗ１であり、シート５０の厚みはｗ２である。ここで、ｗ１＜ｗ２であり、第５の変形例に係るシート５０は、文字板１４よりも厚い。一般的に、腕時計の胴の内部に配置することのできる部品の総厚みは、胴の厚さによって制限される。そして、胴の内部の空間のうちほとんどは、ムーブメント、蓄電池、パッチアンテナ、及び受信回路等によって占められる。その結果、文字板１４及びシート５０の総厚みは、数百μｍ程度に制限される場合がある。ここで、文字板１４側から入射し、太陽電池３０の受光面で反射して文字板１４側に戻る光、及び遮蔽部材４０の表面で反射して文字板１４側に戻る光をより強く散乱させるためには、艶消し層６０の凹凸面から太陽電池３０の受光面までの距離を大きく取る必要がある。第５の例では、シート５０の厚みを文字板１４の厚みより厚くすることによって、艶消し層６０から太陽電池３０の受光面までの距離を大きくすることができる。これにより、文字板１４及びシート５０の総厚み（おおよそｗ１＋ｗ２）が所定の値に制限される場合であっても、配置領域と非配置領域との境界の視認性が低下する。
【００４２】
なお、艶消し層６０等は、光を反射、又は屈折する微粒子を含む層によって形成してもよい。例えば、球状透明の微粒子を含む層を艶消し層６０として用いることができる。その場合であっても、文字板１４側から入射した光は艶消し層６０等によって一様に不規則に散乱され、太陽電池３０の受光面で反射して文字板１４側に戻る光、及び遮蔽部材４０の表面で反射して文字板１４側に戻る光も艶消し層６０等によって一様に不規則に散乱されることになる。艶消し層６０等の構成がいかなるものであっても、入射した光を一様に不規則に散乱するものであれば、配置領域と非配置領域との境界の視認性が低下する。
【００４３】
図１０は、第６の変形例に係る衛星電波腕時計１を示す平面図である。第６の変形例に係る文字板１４の表面には、指針の回転軸を中心として放射状に拡がる凹凸模様７０が施されている。凹凸模様７０の一部は、平面視において、太陽電池３０が存在する領域と存在しない領域の境界に沿って形成される。また、第６の変形例に係る衛星電波腕時計１は、文字板１４の上に装飾部材８０が設けられている。装飾部材８０は、文字板１４に直接貼り付けられていてもよいし、胴１０により文字板１４とともに挟み込まれるようにして固定されていてもよい。装飾部材８０には、指針の回転軸を中心とする放射線に重なる装飾部材模様８２が施されている。装飾部材模様８２の一部は、平面視において、太陽電池３０が存在する領域と存在しない領域の境界を延長した線に沿って形成される。
【００４４】
凹凸模様７０は、平面視において、太陽電池３０が存在する領域と存在しない領域との境界に沿って形成されることによって、配置領域の色と、非配置領域の色との差を視認しづらくするという錯視効果を発揮する。特に、本例における凹凸模様７０のうち、指針の回転軸から１０時方向に伸びる模様と、指針の回転軸から２時方向に伸びる模様とは、平面視において、配置領域と非配置領域との境界に重なる。そのような模様は、遮蔽部材４０と太陽電池３０との境界を覆い、遮蔽部材４０と太陽電池３０との色の差を小さく視認させる錯視効果が最も大きい模様となる。なお、凹凸模様７０を形成する間隔は図１０で示した例と異なっていてもよい。また、太陽電池３０の切り欠き部３０ｃが扇状以外の形状である場合、文字板１４の表面に当該形状に沿った凹凸模様を形成することとしてよい。なお、凹凸模様７０は、艶消し層６０とは異なり、光を反射しやすい文字板１４の表側の光沢面に形成することが望ましい。その場合、放射状に光の線が視認され、遮蔽部材４０と太陽電池３０との色の差を小さく視認させる錯視効果が発揮される。
【００４５】
装飾部材模様８２は、平面視において、太陽電池３０が存在する領域と存在しない領域との境界の延長線に重なるように形成されることによって、配置領域の色と、非配置領域の色との差を視認しづらくするという錯視効果を発揮する。特に、本例における装飾部材模様８２のうち、１０時方向に形成される模様と、２時方向に形成される模様とが、大きな錯視効果を発揮する。また、装飾部材模様８２が、文字板１４の表面に形成された凹凸模様７０の延長線と重なるように形成される場合に、より強い錯視効果が発揮される。凹凸模様７０と装飾部材模様８２とが、遮蔽部材４０と太陽電池３０との境界を覆う一本の線として視認され、遮蔽部材４０と太陽電池３０との色の差がより小さく錯視されるためである。なお、装飾部材模様８２は、立体的形状によって形成されるものであってもよい。例えば、装飾部材８０の円周方向に周期的な段差を設けて模様としてもよい。
【００４６】
また、文字板１４の上に装飾部材８０を設けず、太陽電池３０がベゼルの内周付近まで位置して、太陽電池３０とベゼルが近接する場合に、ベゼルの表面に装飾部材模様８２と同様な模様を設けてベゼルを装飾部材とし、遮蔽部材４０と太陽電池３０との色の差を小さく視認させてもよい。さらに、文字板１４の上に装飾部材８０を設け、かつ、ベゼルの表面に装飾部材模様８２と同様な模様を設けることとしてもよい。その場合、装飾部材模様８２とベゼルの表面に設けられる模様の両方を、太陽電池３０が存在する領域と存在しない領域との境界の延長線に重なるように形成し、遮蔽部材４０と太陽電池３０との色の差をより小さく視認させることが望ましい。
【００４７】
本実施形態に係る太陽電池３０の切り欠き部３０ｃは、図２に示すように扇状であり、切り欠き部３０ｃのなす角度は、一例として１２０°である。太陽電池３０が胴１０内部に配置された状態においては、切り欠き部３０ｃの辺は、１０時方向及び２時方向に伸びる。そのため、例えば衛星電波腕時計１をカタログに掲載したり店頭に展示したりする場合に、図１に示すように指針を１０時９分３５秒の位置に合わせる等することで、時針１５と分針１６とを、太陽電池３０が存在する領域と、存在しない領域との境界に重ねることができる。従って、展示状態において、遮蔽部材４０と太陽電池３０との境界に指針を重ねることができ、配置領域の色と非配置領域の色の差を視認しづらくすることができる。一般に、腕時計は、時計の針が１０時８分〜９分付近を示す位置で、時計がカタログに掲載されたり展示されたりすることが多いため、１２時位置を中心として、切り欠き部３０ｃのなす角度を約１２０°に形成することにより、配置領域の色と非配置領域の色の差を視認しづらくすることができる。
【符号の説明】
【００４８】
１  衛星電波腕時計、１０  胴、１１  バンド固定部、１２  ボタン、１３  竜頭、１４  文字板、１５  時針、１６  分針、１７  秒針、２０  パッチアンテナ、２０ａ  受信面、３０  太陽電池、３０ａ  セル、３０ｂ  基板、３０ｃ  切り欠き部、４０  遮蔽部材、５０  シート、５１  有色シート、６０  艶消し層、６１  第１艶消し層、６１ａ
第１有色層、６１ｂ  第１艶消し層、６２  第２艶消し層、６２ａ  第２有色層、６２ｂ  第２艶消し層、６３  有色層、６４  透明艶消し層、６５  艶消し面、７０  凹凸模様、８０  装飾部材、８２  装飾部材模様。
【図１】
2019132864.tif 000003
【図２】
2019132864.tif 000004
【図３】
2019132864.tif 000005
【図４】
2019132864.tif 000006
【図５】
2019132864.tif 000007
【図６】
2019132864.tif 000008
【図７】
2019132864.tif 000009
【図８】
2019132864.tif 000010
【図９】
2019132864.tif 000011
【図１０】
2019132864.tif 000012